(57)【要約】【課題】ドライバを把持した片手による作業でビス及びワッシャをネジ穴に取り付けることができるばかりでなく、ビス及びワッシャを取り外す場合においてもビス等を他方の手で押さえることなく片手でドライバを操作するだけでビス等を落下、散逸させずに取り外すことができるビスの脱落防止ホルダを提供する。【解決手段】取付け面３１に設けたネジ穴３２内にドライバを用いてビス２０を着脱する際に使用するビスの脱落防止ホルダ１であって、ビスのネジ部２０ａを挿通する穴２ａを有したベース板２と、該ベース板の外周縁から起立した複数の挟圧片５と、を備えた。【選択図】図１
2009291926.tif 000002
【特許請求の範囲】
【請求項１】
取付け面に設けたネジ穴内にドライバを用いてビスを着脱する際に使用するビスの脱落防止ホルダであって、
前記ビスのネジ部を挿通する穴を有したベース板と、該ベース板の外周縁から起立した複数の挟圧片と、を備えたことを特徴とするビスの脱落防止ホルダ。
【請求項２】
前記ベース板は、径方向へ延びる切り込みを有したスプリングワッシャであることを特徴とする請求項１に記載のビスの脱落防止ホルダ。
【請求項３】
前記ホルダを導電性材料にて構成したことを特徴とする請求項１、又は２に記載のビスの脱落防止ホルダ。
【請求項４】
前記ホルダの挟圧片先端部に鰐口クリップによる係止に適した被係止部を設けたことを特徴とする請求項１乃至３の何れか一項に記載のビスの脱落防止ホルダ。
【発明の詳細な説明】
【技術分野】
【０００１】
本発明は、ドライバによって端子台等に設けたネジ穴にビスを着脱する際に、ビスやワッシャが脱落して周辺の電極に接触して短絡を起こしたり、散逸する不具合を解消することができるビスの脱落防止ホルダに関する。
【背景技術】
【０００２】
配電盤に設けられる端子台や、各種機器に設けられる端子台に設けたネジ穴にワッシャを介してビスを螺着することによりケーブルの導体部分を接続したり、ビス及びワッシャをネジ穴から取り外す場合には、ドライバを用いた手作業が行われる。ビスの取付けに際しては一方の手の指先でビスを保持して雄螺子部先端部をネジ穴内に当接させた状態で、他の手で把持したドライバ先端をネジ頭部に当接させて螺着作業を行う。一方、ビスを取り外す際にはドライバによりビスを緩めてネジ穴から引出してから他方の手の指先にてビスを取り上げる作業を行う。更に、ビスの取付け作業に際しては、端子台と結線されるケーブルが周囲の端子や部材に引っ掛かりを起こさないように片手でケーブルを保持する必要もあり、労力と熟練を要する作業である。
また、ドライバを用いたビスの着脱作業においては、ビスやワッシャが落下して周辺の電極に接触したり、散逸することが多い。
先端部を着磁してビス頭部を吸着させることによりビスの落下防止を図ったドライバも知られているが、使い勝手の良否に個人差があり、ビス頭部を十分に吸着させることができずに落下することも多々ある。特にワッシャを併用する場合にはドライバ先端によってワッシャまでも吸着させることはできないため、ワッシャを片手の指で保持し続けてビスから脱落しないようにする必要があった。ビス及びワッシャを取り外す場合にもワッシャはビスから脱落し易いため、十分な注意が必要となる。
特に、ビスのサイズが小型化すればする程、手作業によるビス及びワッシャの着脱作業は困難化し、ビスやワッシャが散逸したり、散逸したビス、ワッシャが近傍にある電気回路の導体部分に接触して短絡を起こすことも多々ある。
【０００３】
特開平０７−１３５２号公報「チューブ付きネジ回し」には、先端に切れ目を有した筒状のチューブをドライバの金属棒部分を包囲するように取付け、チューブ先端の弾力によってネジをドライバの先端に押え付けることにより、手でネジを押さえ付けなくてもネジの着脱が可能となる旨が開示されている。
しかし、この従来例にあってはドライバ先端よりも突出するチューブ先端部が障害となってネジをネジ穴に螺着することが困難になる。また、ワッシャを併用する場合にワッシャまでもチューブにより保持できるか否か不明である。また、螺着状態にあるネジを取り外す際にはネジ及びワッシャを片手で押さえ続けない限り散逸を防止できない、という問題がある。
特開２００１−１２７５公報「ねじ回しセット」には、ドライバの金属棒部分の外面に対してスライド自在に嵌着した軟質樹脂製筒状のネジ保持具の先端開口内にネジやワッシャを保持しつつ、ネジ頭部をドライバ先端部に当接させることにより、一方の手で把持したドライバを操作するだけでビスを螺着することができる旨が開示されている。
しかし、この従来例にあっても、螺着状態にあるネジを取り外す際にはネジ及びワッシャを片手で押さえ続けない限り散逸を防止できない、という問題がある。
また、特開平１１−３３３７４５号公報にはドライバ側に落下防止機構を配置した構成が開示され、特開２０００−１４１２３９公報には取り外したネジを回収する手段をドライバ側に設けた構成が開示されているが、何れもドライバを加工する必要があったり、構造が複雑化するため、既存のドライバをそのまま使用できないという問題があった。
【特許文献１】特開平０７−１３５２号公報
【特許文献２】特開２００１−１２７５公報
【特許文献３】特開平１１−３３３７４５号公報
【特許文献４】特開２０００−１４１２３９公報
【発明の開示】
【発明が解決しようとする課題】
【０００４】
ドライバによってビスをネジ穴に螺着する作業性を高めるためにドライバ先端にビス頭部を当接させた状態で保持する手段が提案されてはいるが、螺着時の作業性に問題があったり、ドライバを用いてビス及びワッシャを取外す時に他方の手で押さえない限りビス等が散逸し易いという問題があった。
本発明は上記事情に鑑みてなされたものであり、ドライバを把持した片手による作業でビス及びワッシャをネジ穴に取り付けることができるばかりでなく、ビス及びワッシャを取り外す場合においてもビス等を他方の手で押さえることなく片手でドライバを操作するだけでビス等を落下、散逸させずに取り外すことができるビスの脱落防止ホルダを提供することを目的としている。
【課題を解決するための手段】
【０００５】
上記目的を達成するため、請求項１の発明に係るビスの脱落防止ホルダは、取付け面に設けたネジ穴内にドライバを用いてビスを着脱する際に使用するビスの脱落防止ホルダであって、前記ビスのネジ部を挿通する穴を有したベース板と、該ベース板の外周縁から起立した複数の挟圧片と、を備えたことを特徴とする。
ビスのネジ部を挿通する穴を有したベース板と、ドライバの金属棒部に挟圧保持される挟圧片を備えているため、ホルダの穴にビスのネジ部を挿通させた状態でドライバ先端をビス頭部に当接させた状態を維持することができ、片手で把持したドライバによりビスを取付け穴に螺着することができる。ホルダの材質は、金属、樹脂等により構成できる。
請求項２の発明に係るビスの脱落防止ホルダは、請求項１において、前記ベース板は、径方向へ延びる切り込みを有したスプリングワッシャであることを特徴とする。
ベース板自体をスプリングワッシャとすることにより、スプリングワッシャの使用を省略して取付け強度を高めることができる。
請求項３の発明に係るビスの脱落防止ホルダは、請求項１、又は２において、前記ホルダを導電性材料にて構成したことを特徴とする。
導電材料により構成することにより、挟圧片に先端部を利用して鰐口クリップ等を取り付けて電流等を測定することが可能となる。
請求項４の発明に係るビスの脱落防止ホルダは、請求項１乃至３の何れか一項において、前記ホルダの挟圧片先端部に鰐口クリップによる係止に適した被係止部を設けたことを特徴とする。
【発明の効果】
【０００６】
以上のように本発明によれば、ドライバを把持した片手による作業でビスをネジ穴に取り付けることができるばかりでなく、ビスを取り外す場合においてもビス等を手で押さえることなく片手でドライバを操作するだけでビス等を落下、散逸させずに取り外すことができる。
ドライバによってビス、ワッシャをネジ穴に取り付ける際に、ホルダを構成するベース第上にビス、ワッシャをセットした上でビス先端部をネジ穴に当接しからドライバによって締結するので、ビス、ワッシャの脱落が防止される。ビスを外す際にも同様にビス等の散逸を防止する。
【発明を実施するための最良の形態】
【０００７】
以下、本発明を図面に示した実施の形態により詳細に説明する。
図１（ａ）乃至（ｄ）は本発明の一実施形態に係るビスの脱落防止ホルダの正面図、外観斜視図、平面図、Ａ−Ａ断面図であり、図２はドライバによる取付け状態を示す断面図である。
本発明のビスの脱落防止ホルダ（以下、ホルダ、という）１は、図２に示した端子台等３０の取付け面３１に設けたネジ穴３２内にドライバ４０を用いてビス２０を螺着したり、螺着されたビス２０を取り外す際に、ビス２０に予め組み付けた状態で使用される。なお、ビス２０と共にワッシャ２１が併用される場合は、図２に示すようにホルダ１の底面と取付け面３１との間にワッシャ２１を介在させた状態でビスを締結するか、或いは図３に示すようにホルダ内にワッシャ２１を配置する。
【０００８】
ホルダ１は、取付け面３１に設けたネジ穴３２内にドライバ４０を用いてビス２０を着脱する際にビス２０側に予め組み付けた状態で使用するビスの脱落防止手段であり、ビス２０のネジ部２０ａを挿通する穴２ａを有したベース板２と、ベース板２の外周縁から起立した複数の挟圧片５と、を備えている。
ホルダ１は、ステンレス、アルミニウム等々の金属板材、或いは硬質プラスチック等から一体的に構成されており、本例ではベース板２を円形としているが、三角形、四角形等の多角形等々、任意の形状であってもよい。挟圧片５はベース板２の外周に所定ピッチで基端部を連結されており、所要角度で起立することにより夫々の先端部（被係止部）５ａでドライバの金属棒部４１に均等に圧接できるように先端部５ａ間の間隔、位置関係が設定されている。挟圧片５の形状、幅、本数は任意である。図示したホルダ１の構成では、各挟圧片５はベース板２の外周縁から内径側へ向けて傾斜して上向きに起立しているが、垂直に起立させてもよい。また、この例に係る挟圧片５は幅が一定の帯状となっているが、上に向かう程幅が漸減するテーパー形状であってもよい。要するに、ドライバの金属棒部を挟圧片によって挟圧保持できる構成であればよい。
【０００９】
ホルダ１を用いてビス２０を保持しつつドライバ４０によってビス２０をネジ穴３２内に螺着する場合には、ベース板２の穴２ａ内にビスのネジ部２０ａを差し込んだ状態で、挟圧片５間に形成される差込み穴内にドライバの金属棒部４１を差し込んでビス頭部の溝部内に金属棒部の先端をあてがっておく。この際に、ドライバの金属棒部４１は挟圧片５による挟圧力によって挟圧片からの抜け落ちが防止され、ビス頭部との当接状態を維持することができる。つまり、金属棒部４１は、複数の挟圧片の先端部間のバネ力によって挟圧された状態にあるため、ドライバを持ち上げたとしてもホルダ１の自重によってホルダがドライバから落下することはない。
次いで、片手で把持したドライバを操作することによりビスのネジ部２０ａの先端をホルダの穴２ａにあてがいつつ、ドライバを回転させるだけでネジ部２０ａはネジ穴３２に螺着されてゆく。
この螺着作業中、片手で把持されたドライバからホルダ１が脱落したりずれることがないため、ビスを脱落、散逸させることなく、ホルダと共にビス、ワッシャを端子台の取付け面３１に対して確実に取り付けることができる。この際、ビスと接続された図示しないケーブルを空いている方の手で把持して引っかかりなどが起きないように操作できるので、操作性が高まる。また、取付け作業完了後は、ドライバを挟圧片間から抜き取ればよい。
【００１０】
なお、図２の実施形態では、ワッシャ２１をホルダのベース板２の下面側に配置して取付け面３１との間で挟圧保持するようにしたが、図３に示すようにベース板２の上面側にワッシャ２１を配置してもよい。
なお、図２、図３に示すように端子台３０の取付け面３１の周囲には仕切板３３が立設されているため、ビスの取付け後にホルダ１が取付け面に残存していても問題は生じない。むしろ、ホルダ１を導体から構成した場合には、取付け面に固定されたホルダの挟圧片５を利用して図示しない鰐口クリップを取り付けることが容易となるため、電流、電圧、信号等の測定器による測定に適した構造となる。従って、挟圧片５の先端部（被係止部）５ａを図示のように外側へ折り返すことにより、ドライバを挿通、離脱し易くなるだけでなく、鰐口クリップを引っ掛けやすくなる。挟圧片５の先端部（被係止部）の形状は、鰐口クリップによる係止に適していればどのような形状であってもよい。
なお、ホルダ１と共にビス、ワッシャを端子台に固定した際に挟圧片５が突出していると、挟圧片５に人体や治具が接触する事故が起きる虞もあるが、挟圧片５に図示しない絶縁キャップを着脱自在、或いは固定的に被せておけばそのような不具合を解決できる。
【００１１】
図２に示したように端子台３０に螺着された状態にあるビス２０を取り外す際には片手で把持したドライバ４０を挟圧片５間に形成される空間内に差し込んでドライバ先端部をビス頭部の溝にあてがい回転させることにより、ホルダ１と共にビスを離脱させることができ、ビスの落下を防止できる。図３のようにビス、ワッシャが共にホルダ内に保持されている場合には、これらが落下、飛散する虞は皆無となる。
ビスの着脱作業に際しては、他方の手によってビスと連結された図示しないケーブルを操作しながら取り外し作業を進めることができるので、作業性が向上する。
使用するドライバの金属棒部の径寸法が異なる場合であっても、挟圧片５が弾性的に開閉するので、種々のドライバを適用することができる。
ホルダ１の材質によっては挟圧片５による挟圧力を十分に確保することが難しい場合がある。このような場合には、図４に示すように各挟圧片５の先端のくびれ部に金属線材等からなる締結部材、或いは線状バネ材６を巻き付けおき、ドライバに対する挟圧力を確保しておいてもよい。
【００１２】
次に、図５（ａ）及び（ｂ）は本発明の変形例に係るホルダの斜視図、及び底面図である。
このホルダ１は、ベース板２をスプリングワッシャとして構成し、且つベース板２の外周から挟圧片５を起立させた構成が特徴的である。
スプリングワッシャは周知のように中心部に穴を有した円盤状であり、外周部の一部を径方向に切り込んだ切り込み２ｂを形成することによってバネ性を得ている。この構造をそのままベース板２に適用したのが本発明の特徴点である。
これによれば、格別のスプリングワッシャを必要とせずに、ベース板の穴２ａに差し込んだビスのネジ部を取付け面のネジ穴に差し込んでドライバにより螺着するだけでスプリングワッシャの効果によって強固な締結状態を維持することが可能となる。
また、本発明のホルダは繰り返し使用が可能である点が特徴であるが、繰り返し使用が不要な場合には螺着後に、挟圧片５をベース板から切除してもよい。
また、ドライバに改造を加える必要がなく、既存のドライバを使用できるので、便利である。
【図面の簡単な説明】
【００１３】
【図１】（ａ）乃至（ｄ）は本発明の一実施形態に係るビスの脱落防止ホルダの正面図、外観斜視図、平面図、Ａ−Ａ断面図である。
【図２】ドライバによる取付け状態を示す断面図である。
【図３】他の実施形態の説明図である。
【図４】他の実施形態に係るホルダの構成説明図である。
【図５】（ａ）及び（ｂ）は本発明の変形例に係るホルダの縦断面図、及び底面図である。
【符号の説明】
【００１４】
１  脱落防止ホルダ、２  ベース板、２ａ  穴、２ｂ  切り込み線、５  挟圧片、５ａ  先端部、６  線状バネ材、２０  ビス、２０ａ  ネジ部、２１  ワッシャ、３０  端子台、３１  取付け面、３２  ネジ穴、４０  ドライバ、４１  金属棒部
【図１】
2009291926.tif 000003
【図２】
2009291926.tif 000004
【図３】
2009291926.tif 000005
【図４】
2009291926.tif 000006
【図５】
2009291926.tif 000007